(57)【特許請求の範囲】
【請求項１】
原稿画像の画像データをデジタルデータ化した後、あるいは、無線通信機を有するデジタルカメラによって撮影された予めデジタルデータ化された画像データを受け取った後、この画像データに対して所定の画像処理を施す画像処理手段を有する入力機と、
画像処理後の前記画像データに応じて感光材料をデジタル的に露光する画像記録手段を有する出力機と、前記入力機に接続された送受信機および前記出力機に接続された送受信機を有する無線通信機とを備え、
この無線通信機により、少なくとも前記入力機と前記出力機との間で相互に無線通信による情報の転送を行うと共に、前記予めデジタルデータ化された画像データの前記デジタルカメラから前記入力機への無線通信入力が前記入力機の送受信機を介して行なわれることを特徴とする画像再生装置。
【請求項２】
前記入力機と前記出力機との間で相互に無線通信される情報として、前記入力機から前記出力機に転送される情報に画像データ、プリントサイズ、プリント枚数又はプリント指示の情報を含み、前記出力機から前記入力機に転送される情報に前記出力機の保守点検関連の検出情報、エラー検出情報またはマガジン内ペーパー検出情報を含むことを特徴とする請求項１に記載の画像再生装置。
【請求項３】
前記出力機は、プリントサイズごと、面種ごと、またはペーパー厚ごとに複数設けられており、前記入力機は、プリントサイズ、面種またはペーパー厚に応じて、それぞれの出力機に情報を振り分けて転送することを特徴とする請求項１または２に記載の画像再生装置。
【請求項４】
前記入力機は複数設けられていることを特徴とする請求項１〜３のいずれかに記載の画像再生装置。
【請求項５】
前記入力機は、さらに、前記原稿画像に記録された画像を光電的に読み取る画像読取手段を有することを特徴とする請求項１〜４のいずれかに記載の画像再生装置。
【請求項６】
前記出力機は、さらに、露光済みの前記感光材料を現像する現像手段を有することを特徴とする請求項１〜５のいずれかに記載の画像再生装置。
【発明の詳細な説明】
【０００１】
【発明の属する技術分野】
本発明は、デジタルデータ化された画像データに種々の画像処理を施した後、画像処理後の画像データに応じて感光材料をデジタル的に露光し、画像処理後の画像データが再生されたプリント（写真）を出力する画像再生装置に関するものである。
【０００２】
【従来の技術】
従来より、例えば写真フィルム（以下、フィルムという）等に撮影された画像の感光材料への焼き付けは、フィルムの画像を感光材料に投影して感光材料を面露光する直接露光によって行われてきた。これに対し、現在では、例えばフィルムに撮影された画像情報を光電的に読み取り、これをデジタルデータ化して種々の画像処理を施した後、感光材料をデジタル的に露光するデジタル露光を利用したデジタルフォトプリンタ等の画像再生装置が実用化されている。
【０００３】
このような画像再生装置は、基本的に、透過原稿や反射原稿等の原稿に記録された画像データを読み取るスキャナ、画像再生装置全体を制御し管理するとともに、入力された画像データに各種の画像処理を施す制御装置等を有する入力機と、画像処理後の画像データに応じて感光材料をデジタル露光するプリンタ、露光済みの感光材料を現像するプロセサ等を有する出力機とを備えるもので、一般的に、これらの入力機および出力機は分離型に構成される。
【０００４】
入力機では、まず、スキャナにおいて、例えばフィルムに撮影された画像データを読み取る場合であれば、光源から射出される読取光がフィルムに入射され、フィルムに撮影された画像を担持する投影光が、結像レンズによってＣＣＤセンサ等のイメージセンサに結像され、イメージセンサにより光電変換されて画像が読み取られ、必要に応じて各種の画像処理が施された後、フィルムに撮影された画像に対応する入力画像データとして制御装置に供給される。
【０００５】
続いて、制御装置では、オペレータの指示に従って画像再生装置全体が制御されつつ、スキャナから供給される入力画像データがデジタルデータ化された後、あるいは、予めデジタルデータ化された画像データが制御装置に供給された後、この画像データに応じて各種の画像処理条件が設定され、画像データに各種の画像処理が施されるとともに露光条件が決定され、出力画像データとして出力機のプリンタに転送される。
【０００６】
一方、出力機では、プリンタにおいて、例えば光ビーム走査露光を利用する装置であれば、制御装置から転送された画像データに応じて光ビームが変調され、この光ビームが主走査方向に偏向されつつ、感光材料が主走査方向とほぼ直交する副走査方向に搬送され、感光材料が２次元的に走査露光されて潜像が記録された後、プロセサにおいて、感光材料に応じた現像処理が施されて、フィルムに撮影された画像が再生された仕上りプリントとされる。
【０００７】
デジタル露光を利用する画像再生装置では、画像処理によって色濃度補正が行われ、露光条件も決定されるため、１画像当たりの露光にかかる時間が短時間で済み、露光時間も画像サイズに応じて一定であるため、従来の直接露光の場合と比較して迅速な露光を行うことができる。また、画像合成や画像分割等の編集や、色／濃度調整等の画像処理も自由に行うことができ、用途に応じて自由に編集、画像処理を施した仕上りプリントを出力することができる。
【０００８】
しかも、仕上りプリントの画像情報を光磁気ディスク等の記録媒体に保存できるため、例えばフィルムを再読み取りしたり、露光条件を再度決定したりする必要もなく、焼増し等の作業が迅速かつ容易である。さらに、従来の直接露光によるプリントでは困難であったが、デジタル露光を利用する画像再生装置では、分解能、色／濃度再現性等の点で、フィルム等に記録されている画像情報をほぼ完全に再生したプリントの出力が可能である等の利点がある。
【０００９】
このように、デジタル露光を利用する画像再生装置は、従来の直接露光を利用する画像再生装置と比較して上述するような様々な利点を有している。
しかしながら、入力機と出力機とが分離型に構成された画像再生装置では、入力機と出力機とがケーブルで１対１に接続されるため、ケーブルが邪魔である等の作業環境上の問題点がある他、ケーブルの長さに応じて、入力機と出力機の設置レイアウト上の制約が生じる等の問題点があった。
【００１０】
また、スキャナによって画像データを読み取るのではなく、例えばデジタルカメラ等によって撮影され、予めデジタルデータ化された画像データを受け取る場合にも、例えば図４（ａ）に示されるように、まず、デジタルカメラ１００によって撮影された画像データをパーソナルコンピュータ１０２に取り込み、フロッピーディスク１０４等の記憶メディアを介して、画像再生装置１０６に画像データを入力する必要があるため、作業効率が非常に悪いという問題点があった。
【００１１】
【発明が解決しようとする課題】
本発明の目的は、前記従来技術に基づく問題点をかえりみて、入力機と出力機を接続するケーブルに制約されることなく、しかも、予めデジタルデータ化された画像データを効率よく取り込むことができる画像再生装置を提供することにある。
【００１２】
前記目的を達成するために、本発明は、原稿画像の画像データをデジタルデータ化した後、あるいは、無線通信機を有するデジタルカメラによって撮影された予めデジタルデータ化された画像データを受け取った後、この画像データに対して所定の画像処理を施す画像処理手段を有する入力機と、
画像処理後の前記画像データに応じて感光材料をデジタル的に露光する画像記録手段を有する出力機と、
前記入力機に接続された送受信機および前記出力機に接続された送受信機を有する無線通信機とを備え、
この無線通信機により、少なくとも前記入力機と前記出力機との間で相互に無線通信による情報の転送を行うと共に、前記予めデジタルデータ化された画像データの前記デジタルカメラから前記入力機への無線通信入力が前記入力機の送受信機を介して行なわれるを特徴とする画像再生装置を提供するものである。
かかる本発明の画像再生装置は、前記入力機と前記出力機との間で相互に無線通信される情報として、前記入力機から前記出力機に転送される情報に画像データ、プリントサイズ、プリント枚数又はプリント指示の情報を含み、前記出力機から前記入力機に転送される情報に前記出力機の保守点検関連の検出情報、エラー検出情報またはマガジン内ペーパー検出情報を含むことが好ましい。また、前記出力機は、プリントサイズごと、面種ごと、またはペーパー厚ごとに複数設けられており、前記入力機は、プリントサイズ、面種またはペーパー厚に応じて、それぞれの出力機に情報を振り分けて転送することが好ましく、前記入力機は複数設けられていることが好ましい。
【００１３】
ここで、前記入力機は、さらに、前記原稿画像に記録された画像を光電的に読み取る画像読取手段を有するのが好ましい。
また、前記出力機は、さらに、露光済みの前記感光材料を現像する現像手段を有するのが好ましい。
【００１４】
【発明の実施の形態】
以下に、添付の図面に示す好適実施例に基づいて、本発明の画像再生装置を詳細に説明する。
【００１５】
図１は、本発明の画像再生装置の一実施例の斜視図である。
図示例の画像再生装置１０は、例えば原稿画像に記録された画像を光電的に読み取り、これをデジタルデータ化して各種の画像処理を施した後、画像処理後の画像データに応じて感光材料をデジタル的に走査露光し、原稿画像に記録された画像を再生したプリント（写真）を出力するデジタルフォトプリンタの一例を示したもので、入力機１２、出力機１４および無線通信機１６を有する。
【００１６】
なお、上述する原稿画像としては、例えば各種の写真フィルム（以下、フィルムという）等のような透過原稿や、各種のカラープリント（カラー写真）、各種の印刷物等のような反射原稿を用いることができるし、あるいは、原稿画像として、予めデジタルデータ化された画像データを受け取ることも可能である。
以下の実施例においては、原稿画像として、例えばフィルムを使用する場合を例に挙げて説明を行うものとする。
【００１７】
画像再生装置１０において、まず、入力機１２は、図示例においては、原稿画像に記録された画像を光電的に読み取るスキャナ１８、および、画像再生装置１０全体の制御や管理を行うとともに、スキャナ１８によって読み取られた原稿画像の画像データをデジタルデータ化した後、あるいは、予めデジタルデータ化された画像データを受け取った後、画像データに対して各種の画像処理を施す制御装置２０を有する。
【００１８】
ここで、図２に、入力機の一実施例の概念図を示す。
図示例のスキャナ１８は、フィルムＦに撮影された画像を光電的に読み取るもので、光源２２、可変絞り２４、フィルムＦに撮影された画像をＲ（赤）、Ｇ（緑）、Ｂ（青）の三原色に色分解する色フィルタ板２６、拡散ボックス２８、結像レンズ３０、フィルムＦに撮影された画像を１コマ単位で読み取るエリアタイプのＣＣＤセンサ３２、および、アンプ３４を有する。
【００１９】
スキャナ１８においては、光源２２から読取光が射出され、射出された読取光が可変絞り２４によって光量調整された後、色フィルタ板２６を通過して色調整され、拡散ボックス２８によりフィルムＦの面方向に均一に拡散されてフィルムＦに入射される。フィルムＦを透過することにより、フィルムＦに撮影された画像を担持する投影光が、結像レンズ３０によってＣＣＤセンサ３２の受光面に結像され、ＣＣＤセンサ３２によって光電的に読み取られる。
【００２０】
ＣＣＤセンサ３２によって読み取られた画像データは、アンプ３４によって増幅され、フィルムＦに撮影された画像に相当するアナログ画像データとして制御装置２０に供給される。
なお、スキャナ１８においては、色フィルタ板２６のＲ，Ｇ，Ｂの色フィルタを順次挿入し、上記画像読取を合計３回行うことによって、フィルムＦに撮影された画像がＲ，Ｇ，Ｂの３原色に色分解されて読み取られる。
【００２１】
また、出力画像データを得るための画像読取（本スキャン）に先立って、低解像度で画像を粗に読み取るプレスキャンを行い、プレスキャンで得られた画像データから画像処理条件を設定し、この画像処理条件に応じて本スキャンの画像データを画像処理して、出力機１４による画像記録の出力のための出力画像データとする。なお、プレスキャンと本スキャンとの違いは、その読取画像の解像度が異なることだけである。
【００２２】
続いて、入力機１２において、制御装置２０は、図示例においては、Ａ／Ｄ（アナログ−デジタル）変換器３６、ＬＵＴ（ルックアップテーブル）３８、データ補正部４０、プレスキャン用のＲ，Ｇ，Ｂ用のフレームメモリ（以下、プレスキャンメモリという）４２、本スキャン用のＲ，Ｇ，Ｂ用のフレームメモリ（以下、本スキャンメモリという）４４、画像処理部４６、制御部４８、および、入出力部５０を有する。
【００２３】
ここで、入出力部５０は、オペレータが様々な条件の入力（設定）、処理の選択や指示、色／濃度補正などの指示等を入力するためのキーボード５２やマウス５４、スキャナ１８で読み取られた画像、各種の操作指示、様々な条件の設定／登録画面等を表示するディスプレイ５６等を有する。また、制御部４８は、例えばパーソナルコンピュータ等のように、入出力部５０を介して、以下に述べるような画像再生装置１０全体の動作の制御や管理を行う。
【００２４】
スキャナ１８によって読み取られたＲ，Ｇ，Ｂの各アナログ画像データは、Ａ／Ｄ変換器３６によってデジタル画像データに変換され、ＬＵＴ３８によりｌｏｇ（対数）変換されて濃度データに変換され、データ補正部４０によって、ＤＣオフセット補正、暗時補正、シェーディング補正等の所定の処理が施された後、プレスキャンおよび本スキャン毎に、それぞれＲ，Ｇ，Ｂ用のプレスキャンメモリ４２、および、Ｒ，Ｇ，Ｂ用の本スキャンメモリ４４に保持される。
【００２５】
プレスキャンメモリ４２に画像データが保持された後、画像処理部４６では、プレスキャンメモリ４２から画像データが読み出され、色／階調補正、電子倍率、ダイナミックレンジ処理、シャープネス等の各種の画像処理条件が設定される。この画像処理条件に応じて処理されたプレスキャン画像はディスプレイ５６に表示され、必要に応じてオペレータによる検定が行われ、色／濃度、階調等が調整され、最終的な画像処理条件が決定される。
【００２６】
最終的な画像処理条件が決定されると、画像処理部４６においては、本スキャンメモリ４４から本スキャン画像データが読み出され、決定された最終的な画像処理条件に応じて、まず、画像の色／階調が補正され、続いて、電子倍率に応じて画像が拡大／縮小（電子変倍）され、画像データのダイナミックレンジが圧縮／伸張され、シャープネス処理（鮮鋭化処理）等の各種の画像処理が施された後、出力画像データとして出力機１４に転送される。
【００２７】
入力機１２は、以上のような構成を有する。
次に、出力機１４は、基本的に、入力機１２の制御装置２０の画像処理部４６から出力される出力画像データに応じて変調した光ビームにより、感光材料Ａを走査露光して潜像を記録するプリンタ５８、および、プリンタ５８により潜像が記録された感光材料Ａを現像および乾燥して仕上りプリントとし、さらに仕分けを行うプロセサ６０を有する。
【００２８】
ここで、図３に、出力機の一実施例の部分概念図を示す。
同図において、プリンタ５８は、長尺の感光材料（ペーパー）Ａを、作成する仕上がりプリントに応じた所定長に切断してカットシートとした後、裏印字情報の記録およびデジタル露光を行い、露光済の感光材料Ａをプロセサ６０に供給するもので、図示例においては、感光材料供給部６２、裏印字部６４、画像記録部６６、振り分け部６８等を有する。
【００２９】
なお、プリンタ５８には、感光材料供給部６２から画像記録部６６まで感光材料Ａを搬送し、露光が終了した感光材料Ａをプロセサ６０に搬送する搬送手段として複数の搬送ローラ対が配置されており、感光材料Ａの搬送ガイドや各種のセンサ等も必要に応じて配置される。また、感光材料Ａの搬送手段には特に限定はなく、搬送ローラ対の他、ベルトコンベア、ニップベルト、吸着等を用いたリフト搬送等、公知のシート材の搬送方法がすべて利用可能である。
【００３０】
プリンタ５８において、まず、感光材料供給部６２は、装填部７０および７２、マガジン８２、カッタ７８および８０等を有する。
装填部７０および７２は、感光材料Ａを収納したマガジン８２が装填される部位である。両装填部７０および７２には、通常、サイズ（幅）、面種（シルクやマット等）、仕様（厚さやベースの種類等）等、互いに種類の異なる感光材料Ａが収納されたマガジン８２が装填される。
【００３１】
マガジン８２は、記録面（乳剤面）を外側にして巻回された長尺の感光材料Ａを収納した遮光性の筺体である。図示例においては、引き出しローラ対７４および７６がマガジン８２の内部に設けられており、例えば図中上側の駆動ローラは、マガジン８２が装填部７０および７２の所定位置に装填されることにより、各装填部７０および７２に各々配置された、引き出しローラ対７４および７６の駆動源（図示せず）に係合される。
【００３２】
感光材料供給部６２においては、引き出しローラ対７４および７６によって、感光材料Ａがマガジン８２から引き出され、搬送手段によって、感光材料Ａの搬送方向下流側（以下、下流側とする）の裏印字部６４に搬送される。この搬送は、下流側に搬送された感光材料Ａが仕上がりプリントの長さになった時点で停止され、感光材料Ａは、マガジン８２と裏印字部６４との間に配置されたカッタ７８および８０により切断され、カットシートとされる。
【００３３】
裏印字部６４は、図示例においては、感光材料供給部６２の下流側に配置されている。裏印字部６４は、感光材料Ａの裏面（非乳剤面）に、写真の撮影日、プリント焼付日、コマ番号、フィルムＩＤ番号、撮影に使用したカメラのＩＤ番号、画像再生装置１０のＩＤ番号等の各種の情報である裏印字情報（バックプリント）を記録するもので、カットシートとされた感光材料Ａは、裏印字部６４によって裏印字情報が記録される。
【００３４】
裏印字部６４の下流側には、画像記録部６６が配置されている。
画像記録部６６は、図示例においては、入力機１２の制御装置２０の画像処理部４６から供給される出力画像データに応じて、感光材料Ａを主走査方向（図中紙面に対して垂直方向）に走査露光する露光ユニット８４、および、主走査方向に対してほぼ直交する副走査方向（図中矢印ｂ方向）に感光材料Ａを一定の速度で搬送する走査搬送手段８６を有する。
【００３５】
露光ユニット８４は、感光材料ＡのＲ，Ｇ，Ｂの各露光に対応する光ビームを射出する３つの光源、光源から射出された光ビームを画像データに応じて変調するＡＯＭ（音響光学変調器）等の変調手段、変調された光ビームを主走査方向に偏向するポリゴンミラー等の光偏向器、主走査方向に偏向された光ビームを露光位置（走査線）Ｘ上の所定位置に所定のビーム径で結像させるｆθ（走査）レンズ等からなる光ビーム走査装置である。
【００３６】
また、走査搬送手段８６は、露光位置Ｘを挟んだ前後に配置される一対の搬送ローラ対８８および９０、ならびに、感光材料Ａをより高精度に露光位置Ｘに保持するための露光ガイド９２等から構成される。
なお、走査搬送手段８６は、上記構成に限定されず、感光材料Ａを露光位置Ｘに保持しつつ搬送する露光ドラム、および、露光位置Ｘを挟んで露光ドラムに当接する２本のニップローラを用いる走査搬送手段等も好適に例示される。
【００３７】
画像記録部６６では、露光ユニット８４により、デジタル画像データに応じて変調した記録光Ｌを主走査方向に偏光しつつ、走査搬送手段８６の搬送ローラ対８８および９０により、感光材料Ａを露光ガイド９２に沿って露光位置Ｘに保持しながら、主走査方向とほぼ直行する副走査方向に搬送し、感光材料Ａを２次元的に走査露光して潜像を記録する、いわゆるラスター走査露光によって感光材料Ａに画像記録が行われる。
【００３８】
画像記録部６６のさらに下流側には、振り分け部６８が配置されている。
現在、一般的な写真として利用されている銀塩写真感光材料の露光・現像の工程では、露光よりも現像のほうが多くの時間を必要とする。従って、複数の感光材料を連続的に露光・現像すると、露光に対して現像が間に合わなくなるため、露光済の感光材料をストッカ等に一時的に収容する必要が生じる。すなわち、露光・現像の工程は、一般的に現像処理によって律速される。
【００３９】
振り分け部６８は、必要に応じて、感光材料Ａを搬送方向に対して複数列に振り分け、プロセサ６０へ複数列の感光材料を並列に供給し、プロセサ６０における処理能力を向上させて、露光と現像との処理時間の差を吸収するためのものである。例えば、左右への振り分けを交互に行うことにより、感光材料Ａを２列に振り分けることができるし、左右および中央への振り分けを順次繰り返し行うことにより、感光材料Ａを３列に振り分けることができる。
【００４０】
振り分け部６８において横方向に振り分けられて複数列とされた感光材料Ａは、搬送ローラ対９４によって、プリンタの排出口を経てプロセサ６０に供給される。プロセサ６０においては、例えば銀塩写真感光材料の現像の場合、発色現像槽、漂白定着槽、水洗槽等の感光材料Ａに応じた所定の現像処理を施されて潜像が顕像化された後、乾燥されて仕上りプリントとされ、再度、プリント作成順（露光順）の単列に集積され、ソータ等に排出される。
【００４１】
出力機１４は、以上のような構成を有する。
次に、無線通信機１６は、図１に示されるように、入力機１２および出力機１４に各々１つずつ配置された送受信機９６，９８を有する。無線通信機１６は、入力機１２と出力機１４とが分離型に構成された画像再生装置１０において、入力機１２と出力機１４との間、ならびに、入力機１２または出力機１４と他の無線通信機を有する装置との間を無線接続（無線通信）するものである。
【００４２】
ここで、本発明の画像再生装置１０において、入力機１２から出力機１４に対して転送される情報としては、例えば以下のものを挙げることができる。
・画像データ
・プリントサイズ
・プリント枚数
・プリント補正情報（色、濃度等）
・上記プリント情報に基づく裏印字情報の内容
・プリントサイズの変更
・ソート情報
・マガジン交換指示（ペーパー巻き戻し）
・出力機１４の起動および終了
・プリントの指示（開始）、停止および取消
・プロセサ駆動のオン／オフ
・始業点検指示（コントロールストリップ、キャリブレーション等）
・終業点検指示（プロセサラックの自動洗浄等）
・その他
【００４３】
一方、出力機１４から入力機１２に対して転送される情報としては、例えば以下のものを挙げることができる。
・保守点検関連の検出情報（処理液補充、廃液満杯、インクリボン交換、マガジン交換、カット屑箱満杯等）
・保守点検等における可動部検出情報（カバー等）
・各種温度検出情報（プリンタ機内温度、プロセサ液温、乾燥部温度、ＡＯＭドライバ温度等）
・エラー検出情報（ペーパージャム等）
・マガジン内ペーパー種検出情報
・その他
【００４４】
このように、入力機１２と出力機１４とを無線接続することによって、入力機１２と出力機１４との間をケーブルで接続する必要がないため、作業環境を改善することができるし、ケーブルの長さに応じて、入力機１２および出力機１４の設置レイアウト上の制約が生じることもないため、入力機１２および出力機１４の設置レイアウト上の自由度を向上することができ、例えば出力機１４を別室に設置して稼働させるということも可能である。
【００４５】
また、例えばデジタルカメラ等によって撮影され、予めデジタルデータ化された画像データを画像再生装置１０に入力する場合にも、例えば図４（ｂ）に示されるように、同じ通信プロトコルを使用する無線通信機１０８を有するデジタルカメラであれば、無線通信機１６を介して、本発明の画像再生装置１０の入力機１２にデジタルカメラ１１０の画像データを直接入力することができるため、作業が簡単であるし、作業効率を向上させることもできるという利点がある。
【００４６】
さらに、本発明の画像再生装置１０においては、単に、入力機１２と出力機１４との間でコードレスに情報を伝達することができるというだけでなく、同じ通信プロトコルを使用する無線通信機を有する他の装置、例えばデジタルカメラやパーソナルコンピュータ、他の画像再生装置等にも、簡単に相互接続することができるため、例えば画像データを他のパーソナルコンピュータ等に転送し、他の画像処理用のソフトウェア等を使用して画像処理を施すことも可能である。
【００４７】
また、オペレータの作業効率を向上するために、１台の出力機１４に対して複数の入力機１２を備えていてもよいし、これとは逆に、１台の入力機１２に対して複数の出力機１４を備え、例えばプリントサイズに応じて、標準サイズ専用出力機や、ポストカード専用出力機、大サイズ対応可能出力機等に情報を振り分けて転送するようにしてもよいし、あるいは、面種やペーパー厚に応じて、各々のペーパー専用の出力機に情報を振り分けて転送するようにしてもよい。
【００４８】
また、複数の入力機１２および複数の出力機１４を備え、個々のオペレータが所望の入力機１２から所望の出力機１４にプリントを出力することができるようにしてもよいし、入力機１２と出力機１４との間の距離が長く、無線通信の通信範囲を超えてしまう場合には、入力機１２と出力機１４との間の無線通信を中継するために、入力機１２と出力機１４との間に少なくとも１つの中継機を備えるようにしてもよい。
【００４９】
なお、無線通信方式には特に限定はなく、例えば赤外線方式の他、スペクトラム拡散方式、マイクロ波方式、電力線方式等、従来より公知の各種の無線通信方式が適用可能であるし、あるいは、例えば携帯電話等の電話回線を利用することもできる。また、無線通信機１６の送受信機間における通信プロトコルについても特に限定はなく、例えばローカルエリアネットワーク（ＬＡＮ）に適用される従来公知の通信プロトコル等がいずれも使用可能である。
【００５０】
また、送受信機９６，９８は、図示例においては、各々入力機１２および出力機１４の上に設置した分離型を例示しているが、本発明はこれに限定されず、送受信機９６，９８を各々入力機１２および出力機１４に内蔵した一体型としてももちろんよい。また、送受信機９６，９８の構成についても特に限定されず、例えば上記無線通信方式や通信プロトコル等に依存して、従来より公知の各種の構成のものを適用することができる。
【００５１】
無線通信機１６は、以上のようなものである。
以下、本発明の画像再生装置１０の動作について簡単に説明する。
【００５２】
プリント作成開始の指示が出されると、まず、スキャナ１８ではプレスキャンが開始され、フィルムＦの画像は、例えばＲ，Ｇ，Ｂの順に低解像度で読み取られる。スキャナ１８によって読み取られ、制御装置２０に供給されたアナログ画像データは、Ａ／Ｄ変換器３６によりデジタル画像データに変換された後、ＬＵＴ３８によりｌｏｇ変換されて濃度データとされ、データ補正部４０により所定の補正が施された後、プレスキャンメモリ４２に順次記憶される。
【００５３】
画像処理部４６では、スキャナ１８においてプレスキャンが終了し、プレスキャンメモリ４２へのプレスキャン画像データの取り込みが終了した時点で、プレスキャンメモリ４２からプレスキャン画像データが読み出され、画像処理条件が設定されてディスプレイ５６にプレスキャン画像が表示される。
ここで、必要に応じてオペレータによる検定が行われ、入出力部５０を用いて色／濃度、階調等の調整が行われ、最終的な画像処理条件が決定される。
【００５４】
続いて、スキャナ１８では本スキャンが開始され、プレスキャンの場合と同じように、フィルムＦの画像がＲ，Ｇ，Ｂの順に高解像度で読み取られ、本スキャンメモリ４４に格納される。最終的な画像処理条件が決定され、オペレータによる出力指示が出されると、本スキャンメモリ４４のスキャン画像データが画像処理部４６によって読み出され、階調補正等の各種の画像処理が施された後、無線通信機１６を介して、出力画像データとして出力機１４に転送される。
【００５５】
出力機１４においては、入力機１２の制御装置２０の画像処理部４６から転送された出力画像データに応じて、プリンタ５８の画像記録部６６の露光ユニット８４の各ＡＯＭが駆動され、画像データに応じて変調され、主走査方向に偏向された光ビームで走査露光が行われ、感光材料Ａに潜像が形成される。露光された感光材料Ａは、プロセサ６０において、発色現像、漂白定着、水洗の各処理を順次施されて現像され、乾燥されて仕上がりプリントとされ、ソータで仕分される。
【００５６】
本発明の画像再生装置１０は、基本的に以上のように動作する。
なお、本発明は、入力機と出力機とが分離型に構成された各種の画像再生装置に適用可能なものであって、入力機１２および出力機１４の構成、入力機１２のスキャナ１８および制御装置２０の構成、出力機１４のプリンタ５８およびプロセサ６０の構成、ならびに、無線通信機１６の送受信機９６，９８の構成等については、上記実施例に何ら限定されるものではない。
【００５７】
例えば、上記実施例において、入力機１２はスキャナ１８を備えているが、本発明の入力機では、スキャナは必ずしも必須要件ではない。すなわち、入力機からスキャナを分離型に構成し、分離型のスキャナで読み取られた画像データを無線通信機を介して所望の入力機の制御装置へ転送するようにしてもよいし、あるいは、デジタルカメラ等によって予めデジタルデータ化された画像データを無線通信により受け取ることも可能である。
【００５８】
また、上記実施例において、プリンタ５８は、長尺の感光材料を所定長に切断してカットシートとした後に露光しているが、もちろん長尺の感光材料のまま露光を行い、現像した後にプリントサイズに応じて長尺の感光材料を切断するようにしてもよい。また、上記実施例では、出力機１４がプロセサ６０を備えているが、本発明の出力機では、プロセサは必ずしも必須要件ではなく、例えば出力機からプロセサを分離型に構成してもよい。
【００５９】
以上、本発明の画像再生装置について詳細に説明したが、本発明は上記実施例に限定はされず、本発明の要旨を逸脱しない範囲において、各種の改良および変更を行ってもよいのはもちろんである。
【００６０】
【発明の効果】
以上、詳細に説明したように、本発明の画像再生装置は、入力機と出力機との間、ならびに、入力機または出力機と無線通信機を有する他の装置との間を相互に接続する無線通信機を備えるものである。
これにより、本発明の画像再生装置によれば、入力機と出力機との間を接続するケーブルを省き、作業環境を改善することができるし、ケーブル長に制約されず、画像再生装置の設置レイアウトの自由度を向上することができる。また、無線通信機を有する他の装置、例えばデジタルカメラやパーソナルコンピュータ、他の画像再生装置等ともコードレスで簡単に相互接続することができ、これらの間での情報交換の作業効率を向上することができるという効果もある。
【図面の簡単な説明】
【図１】  本発明の画像再生装置の一実施例の斜視図である。
【図２】  入力機の一実施例の概念図である。
【図３】  出力機の一実施例の部分概念図である。
【図４】  （ａ）および（ｂ）は、それぞれ従来のデジタル画像データの取り込み、および、本発明におけるデジタル画像データの取り込みの手順を示す一実施例の概念図である。
【符号の説明】
１０，１０６  画像再生装置
１２  入力機
１４  出力機
１６，１０８  無線通信機
１８  スキャナ
２０  制御装置
２２  光源
２４  可変絞り
２６  色フィルタ板
２８  拡散ボックス
３０  結像レンズ
３２  ＣＣＤセンサ
３４  アンプ
３６  Ａ／Ｄ（アナログ−デジタル）変換器
３８  ＬＵＴ（ルックアップテーブル）
４０  データ補正部
４２  プレスキャンメモリ
４４  本スキャンメモリ
４６  画像処理部
４８  制御部
５０  入出力部
５２  キーボード
５４  マウス
５６  ディスプレイ
５８  プリンタ
６０  プロセサ
６２  感光材料供給部
６４  裏印字部
６６  画像記録部
６８  振り分け部
７０，７２  装填部
７４，７６  引き出しローラ対
７８，８０  カッタ
８２  マガジン
８４  露光ユニット
８６  走査搬送手段
８８，９０  搬送ローラ対
９２  露光ガイド
９４  搬送ローラ対
９６，９８  送受信機
１００，１１０  デジタルカメラ
１０２  パーソナルコンピュータ
１０４  フロッピィディスク
Ｆ  フィルム
Ａ  感光材料
Ｚ  走査位置
Ｌ  記録光
【図１】
0003891232.tif 000002
【図２】
0003891232.tif 000003
【図３】
0003891232.tif 000004
【図４】
0003891232.tif 000005